(57)【要約】【課題】移動体内の座席に配設される座席端末装置の設置時に、操作機器を固定するためのネジ締め作業に使用可能な、高効率かつ高品質のネジ保持構造を提供する。【解決手段】複数のネジ孔部６２５、６２６を備えたコードアダプタ６２２において、ネジ孔部６２５、６２６の少なくとも一つの壁面６２７の二個所に突起部６２８、６２９を対向配置してネジ嵌入孔部とし、二つの突起部間の距離Ｄ１をネジ嵌入孔部に嵌入するネジの外径より小さくすることを特徴とする。【選択図】図８
2010210029.tif 000002
【特許請求の範囲】
【請求項１】
複数のネジ孔部を備えた構造部材において、前記ネジ孔部の少なくとも一つの壁面の二個所に突起部を対向配置してネジ嵌入孔部とし、前記二個所の突起部間の距離を前記ネジ嵌入孔部に嵌入するネジの外径より小さくすることを特徴とするネジ保持構造。
【請求項２】
前記二個所の突起部を前記ネジ嵌入孔部の中心軸に対して対称状に配設することを特徴とする請求項１に記載のネジ保持構造。
【請求項３】
前記二個所の突起部を、前記複数のネジ孔部の中心を結ぶ直線に対して略直角方向に対向配置することを特徴とする請求項１または請求項２に記載のネジ保持構造。
【請求項４】
請求項１から請求項３のいずれか１項に記載のネジ保持構造を備えたことを特徴とする構造部材。
【請求項５】
情報端末装置と、前記情報端末装置を操作する操作機器とを接続するコード取付ユニットを構成する部材であることを特徴とする請求項４に記載の構造部材。
【請求項６】
前記情報端末装置が移動体内に配設される座席端末装置であることを特徴とする請求項５に記載の構造部材。
【請求項７】
前記移動体が航空機であることを特徴とする請求項６に記載の構造部材。
【発明の詳細な説明】
【技術分野】
【０００１】
本発明は、ネジを使用した機器または部材等の結合におけるネジ保持構造および構造部材に関する。
【背景技術】
【０００２】
近年、航空機等の移動体内にＡＶコンテンツ配信システムを搭載し、乗客用の各座席に設置された座席端末装置に対して映画や音楽を配信するサービスを行う事例が普及している。このシステムでは、通常、乗客が各座席に配設された操作機器により座席端末装置の操作を行うことができる。また、この操作機器は、航空機内で無線が使えないという技術的な理由や、紛失あるいは乗客が間違って持ち帰ることを防止するために各座席の肘掛部などの収納部にコード（有線）で接続されているのが一般的である。座席端末装置の設置に関しては、航空機の設備の一つとして、航空機の製造とは別に、航空機会社の整備施設などにおいて新規または更新設備として設置されるのが普通である。したがって、機器が備えるべき条件としては、納入先で簡単に設置できることが第一条件であるが、確実かつ均一な設置品質も同時に求められている。この点については、機器納入の効率化および技術品質の向上の観点から、近年、要求が厳しくなっている。特に、納入先におけるネジを使用した機器や部材の結合は、座席端末装置の設置時の必須事項であるとともに、設置の効率および品質を左右する重要な管理項目になっており、更なる改善が要望されている。
【０００３】
一方、タッピングネジなどにより機器や部材を結合する場合、作業時にネジが脱落するのを防止する目的で、ネジをネジ孔またはその近傍で一時的に簡易保持する方法が、従来、行われており、結合する部材にネジの保持部を設け、保持部にネジの外径より僅かに小さい円形や楕円形の通し孔を形成することにより、ネジを通し孔に係止して保持するネジの脱落防止構造などが提案されている（例えば、特許文献１を参照）。
【特許文献１】実開昭６３−５９２１２号公報
【発明の開示】
【発明が解決しようとする課題】
【０００４】
しかしながら、ネジを係止するための保持構造を介さずに二つの部材を直接突き合わせてネジにより結合する場合、ネジの外径より小さな孔を設けてタッピングネジを係止する従来の方法は、結合する二つの部材にネジを切ることになり、作業時に係止されるネジの自由度が拘束されて、結合部における部材間の位置合わせが難しくなる。この状態で無理にネジ込むと結合部に応力が加わり、結合された部材に残留応力が発生する。したがって、結合された部材の劣化の原因となるほか、結合部において部材の浮き上がりが発生するなど品質上の課題があった。この課題は、特に複数のネジ孔が設けられた部材を他の部材と結合する場合において顕著となる。
【０００５】
本発明は、上記の課題を解決するためになされたものであり、航空機に座席端末装置を納入する場合等において、複数のネジ孔が設けられた構造部材であっても、ネジを係止して保持し、簡単に結合作業を行うことができ、しかも、結合部に残留応力が発生せず、部材の浮き上がりもない、高品質で効率的な設置作業を実現可能にするネジ保持構造および構造部材を提供することを目的とする。
【課題を解決するための手段】
【０００６】
上述したような目的を達成するために、本発明のネジ保持構造は、複数のネジ孔部を備えた構造部材において、ネジ孔部の少なくとも一つの壁面の二個所に突起部を対向配置してネジ嵌入孔部とし、二つの突起部間の距離をネジ嵌入孔部に嵌入するネジの外径より小さくすることを特徴とする。
【０００７】
このような構成により、複数のネジ孔部を備えた構造部材において、ネジ孔部の壁面の二個所に突起部を対向配置したネジ嵌入孔部を少なくとも一つ配設し、二つの突起部間の距離をネジ嵌入孔部に嵌入するネジの外径より小さくすることが可能となる。したがって、ネジ嵌入孔部においてネジを係止し保持した状態でネジを他の構造部材のネジ孔に嵌入し結合することができる。また、ネジ嵌入孔部は、二つの突起部以外の部分がネジの外径より大きな寸法になっており、二つの突起部により係合保持されたネジをネジ嵌入孔部の左右方向に調整が容易となる。これにより、構造部材をネジ嵌入孔部によりネジで操作機器に取付ける場合、ネジおよびネジ嵌入孔部の寸法誤差に対して対応が容易となり、ネジ結合作業を効率よく、確実に行うことができる。ネジを係止するための保持構造を介さずに二つの部材を直接突き合わせてネジにより結合する場合であっても、作業時に係止されるネジの自由度が拘束されることがなく、結合部における部材間の位置合わせが容易となる。したがって、結合部に残留応力が発生することがなく、部材の浮き上がりが発生することもない。その結果、航空機に座席端末装置を納入する場合等において、複数のネジ孔が設けられた構造部材であっても、ネジを係止して保持し、簡単に結合作業を行うことができ、高品質で効率的な設置作業を実現可能にするネジ保持構造を提供することができる。
【０００８】
また、本発明のネジ保持構造は、二つの突起部をネジ嵌入孔部の中心軸に対して対称状に配設する。このような構成により、ネジ嵌入孔部において中心軸に対して対称状に二つの突起部を配設することが可能となる。したがって、ネジの嵌入時にネジを孔部の中心位置で係止し、保持することができ、保持されたネジをネジ嵌入孔部の左右方向に調整が容易となる。これにより、作業性に優れた高品質のネジ保持構造を提供することができる。
【０００９】
また、本発明のネジ保持構造は、二つの突起部を、複数のネジ孔部の中心を結ぶ直線に対して略直角方向に対向配置する。このような構成により、複数のネジ孔部の中心を結ぶ直線に対して略直角方向に対向配置された二つの突起部によりネジを保持することが可能となる。したがって、二つの突起部により保持されたネジは、複数のネジ孔部の中心を結ぶ直線方向に対する移動の自由度を大きくすることができる。これにより、複数のネジ孔部間の寸法誤差に対して結合作業時における位置合わせを容易にし、作業性に優れた高品質のネジ保持構造を提供することができる。
【００１０】
また、本発明の構造部材は、上記に記載のネジ保持構造を備えており、複数のネジ孔が設けられた構造であっても、ネジを係止して保持し、簡単に結合作業を行うことができ、高品質で効率的な設置作業を実現可能にする構造部材を提供することができる。
【００１１】
また、本発明の構造部材は、情報端末装置と操作機器とを接続するコード取付ユニットを構成する部材であり、航空機等の移動体内の座席に配設される座席端末装置に使用される。これにより、航空機内その他の移動体内において、高品質で効率的な設置作業を実現することができる。
【発明の効果】
【００１２】
本発明によるネジ保持構造および構造部材によれば、航空機等の移動体内の座席に配設される端末装置の設置に係わるネジ締め作業において、複数のネジ孔が設けられた構造部材であっても、ネジを係止して保持し、簡単に結合作業を行うことができる。また、結合部に残留応力が発生せず、部材の浮き上がりもなく、高品質で効率的な設置作業を実現することができる。
【発明を実施するための最良の形態】
【００１３】
以下、本発明の実施の形態について、移動体の一つである航空機内の客室において、各座席に配設された座席端末装置の設置作業に適用した一例を挙げて説明する。
【００１４】
（実施の形態）
まず、本発明の実施の形態におけるネジ保持構造および構造部材が使用される操作機器を搭載したＡＶコンテンツ配信システム１（以下、本システム１と略記する）について、図１〜図４を用いて説明する。
【００１５】
図１および図２に示すように、航空機の客室１００は、前後にギャレイ等の仕切り部１０３ａ、１０３ｂ等が配置され、通路１０１により２つの座席列に区画されている。また、通路１０１を挟んで両側にそれぞれ３つの座席を１つのユニットとして前後方向にＮ列（座席１Ｍ、２Ｍ、３Ｍ、・・・、ＮＭ）、左右方向にＭ行（座席１Ｎ、２Ｎ、３Ｎ、・・・、ＭＮ）の座席が配置される。
【００１６】
各座席の乗客は前の座席の背面に配設された座席端末装置１０２の表示部および自座席のヘッドホン１０４を利用して映画などのＡＶコンテンツを視聴する。先頭の座席では座席端末装置１０２は保持仕切り壁１０５（図１では、保持仕切り壁１０５ａ、１０５ｂ）に配設される。座席端末装置１０２は床下に敷設されたネットワークＣ１に接続され、ネットワークＣ１を経由してＡＶコンテンツ配信用のサーバ装置（図示せず）から配信されたＡＶコンテンツを受信する。
【００１７】
各座席の肘掛部にはハンドセットなどの操作機器（図示せず）が埋設されており、乗客はこの操作機器を用いて、座席端末装置１０２の電源操作、視聴したいコンテンツの選択、あるいはヘッドホン１０４に出力する音声の音量等の調整を行う。また、この操作機器により座席端末装置１０２の操作以外にも、客席照明の調整や座席のリクライニングの調整等も行うことができる。
【００１８】
つぎに、各座席における座席端末装置の配設に係わる概略の構成について、図３から図５を用いて説明する。
【００１９】
図３は座席における座席端末装置の使用事例の概要を示す説明図、図４は座席における操作機器の配設事例を示す正面図および平面図、図５は操作機器の配設方法の概略を示す斜視図をそれぞれ示す。
【００２０】
図３に示すように、座席３０２の利用者（乗客）３０１は、本システム１の座席端末装置１０２を利用することができる。利用者３０１は座席３０２の腰掛部３０２ａに着席して前の座席の背もたれ部３０２ｄの背面に配設された座席端末装置１０２の表示部１０２ａに表示される画面を視聴しながら、肘掛部３０２ｂからコード取付ユニット１０２ｃにより座席端末装置１０２と接続された操作機器１０２ｂを引き出して、座席端末装置１０２の操作を行うことができる。
【００２１】
図４は、座席３０２における利用者３０１と座席３０２および操作機器１０２ｂとの関係を示しており、図４（ａ）は正面図、図４（ｂ）は平面図である。操作機器１０２ｂは座席３０２の肘掛部３０２ｂに配設された操作機器収納部（以下、収納部と略記する）３０２ｅに収納され、利用者３０１が座席端末装置１０２を使用する場合には、操作機器１０２ｂを収納部３０２ｅから引き出すことができる。図５は肘掛部３０２ｂにおける操作機器１０２ｂの配設方法を示す。利用者３０１が操作機器１０２ｂを使用する場合、収納部３０２ｅから引き出してコード取付ユニット１０２ｃのコードを肘掛部３０２ｂから導出する。使用が終了した場合には、ラッチ機構により操作機器１０２ｂを収納部３０２ｅに容易に収納することができる。なお、操作機器１０２ｂは、操作ボタン１０２ｄを押すことにより、座席端末装置１０２に対して使用上の指示を行うことができる。
【００２２】
つぎに、本発明の特徴である操作機器に係わる詳細な構成および機能・効果について、図６〜図８を用いて説明する。図６は操作機器１０２ｂの詳細な構成を示す斜視図、図７および図８は操作機器１０２ｂを接続する構造部材の構成を示す正面図、断面図および斜視図をそれぞれ示す。
【００２３】
図６に示すように、本発明の実施の形態における操作機器１０２ｂは、端部においてコード取付ユニット１０２ｃと接続される。操作機器１０２ｂはケース６１１に収納され、前面（操作面）には操作ボタン１０２ｄが配列されている。また、ケース６１１の端部には開口部６１２が設けられ、開口部６１２には板金によるシャーシ部材６１３のネジ部６１４およびネジ部６１５が露出した状態で配置されている。一方、コード取付ユニット１０２ｃは、先端部に操作機器１０２ｂの内部に配置されたコネクタ（図示せず）と接続するためのコネクタ６２３を備えたコードリール６２１が、構造部材としてのコードアダプタ６２２のブッシング部６２４において固定された状態で保持されている。また、コードアダプタ６２２には操作機器１０２ｂのネジ部６１４、６１５においてコードアダプタ６２２を結合し固定するためのネジ孔部６２５およびネジ孔部６２６が設けられている。このような構成により、操作機器１０２ｂのネジ部６１４、６１５において操作機器１０２ｂとコード取付ユニット１０２ｃとをネジにより結合することができる。
【００２４】
つぎに、コードアダプタ６２２の詳細な構造について、図７および図８を用いて説明する。
【００２５】
図７（ａ）は、コードアダプタ６２２の外観を示す斜視図、図７（ｂ）は、コードアダプタ６２２の正面図であり、図７（ｃ）および図７（ｄ）は、図７（ｂ）のＸＸ断面、ＹＹ断面を、それぞれ示している。また、図８は、図７に示すコードアダプタ６２２に配設されたネジ孔部６２５の詳細な構造を拡大して示す正面図および断面図である。
【００２６】
図８に示すように、本発明の実施の形態におけるコードアダプタ６２２に配設されたネジ孔部６２５には、孔の壁面６２７に略半円柱形状の二つの突起部６２８、６２９が設けられている。また、突起部６２８、６２９は、ネジ孔部６２５の中心軸に対して対称状（同形状、同寸法）に、また、コードアダプタ６２２において二つのネジ孔部６２５、６２６を結ぶ直線Ｌ（図７）に対して略直角方向に対向して配置し、二つの突起部間の距離Ｄ１はネジ孔部６２５を通して操作機器１０２ｂのネジ部６１５と結合を行うネジの外形より小さい数値に設定している。なお、ネジ孔６１５の内径Ｄ２はネジの外径より大きくし、凹部６３０を設けてネジの収納部としている。また、ネジ孔部６２６も同様の構造を備えている。したがって、ネジ孔部６２５、６２６は二つの突起部によりネジを嵌入する機能を備えたネジ嵌入孔部を構成するほか、ネジ孔部６２５、６２６を結ぶ直線Ｌ（図７）に対して略直角方向に対向して二つの突起部を配置し、突起部以外の部分の内径をネジの外径より大きくしている。このため、ネジ孔部６２５、６２６にネジを嵌入した場合、ＹＹ断面におけるネジの移動可能な幅寸法を大きくすることができる。すなわち、ネジ孔部６２５、６２６の左右方向（直線Ｌの方向）に調整が容易となる。これにより、コードアダプタ６２２をネジ孔部６２５、６２６によりネジで操作機器１０２ｂに取付ける場合、ネジ部６１５、６１６およびネジ孔部６２５、６２６の寸法誤差に対して対応が容易となり、ネジ結合作業を効率よく、確実に行うことができる。
【００２７】
以上の構成により、本発明の実施の形態におけるコード取付ユニット１０２ｃのコードアダプタ６２２は、複数のネジ孔部を備えた構造部材において、ネジ孔部の少なくとも一つの壁面の二個所に突起部を対向配置してネジ嵌入孔部とし、二つの突起部間の距離をネジ嵌入孔部に嵌入するネジの外径より小さくしたネジ保持構造を実現することができる。また、複数のネジ孔部の中心を結ぶ直線に対して略直角方向に、かつ、ネジ嵌入孔部の中心軸に対して対称状に二つの突起部を配設したネジ保持構造を実現することができる。これにより、航空機等の移動体内の座席に配設される座席端末装置の設置に係わるネジ締め作業において、複数のネジ孔が設けられた構造部材であっても、ネジを係止して仮保持し、簡単に結合作業を行うことができる。また、結合部に残留応力が発生せず、部材の浮き上がりもなく、高品質で効率的な設置作業を実現することができる。
【００２８】
なお、図８において、突起部６２８、６２９の形状および寸法は設計的事項として、例えば、嵌入するネジを締め付ける力に対しネジの保持力が小さくなるようにするなど、ネジ結合作業の利便性を高めるための最適化を実施するものとする。
【００２９】
また、本発明の実施の形態では、コードアダプタ６２２に配設された二つのネジ孔部に対して突起部を設けてネジ嵌入孔部としたが、一方だけをネジ嵌入孔部とし、他方を図７（ｄ）に示すように、例えば、ネジ孔部６２６を通常のネジ孔としても、同様の効果を発揮することができる。
【００３０】
また、本発明の実施の形態では、ネジ孔部６２５の二つの突起部６２８、６２９の形状を略半円柱としたが、これに限らない。例えば、突起部の少なくとも一部が、球面状、円錐状、角錐状、円柱状、角柱状、保塁状のいずれかの形状であっても、同様の効果を発揮することができる。
【産業上の利用可能性】
【００３１】
本発明は、航空機のような移動体内に設置される座席端末装置に限らず、ネジを使用した機器または部材等の結合におけるネジ保持構造および構造部材に広く利用することができる。
【図面の簡単な説明】
【００３２】
【図１】本発明の実施の形態におけるネジ保持構造が使用される座席端末装置の設置事例を示す平面図
【図２】同設置事例を示す側面図
【図３】座席における同座席端末装置の使用事例の概要を示す説明図
【図４】座席における操作機器の配設事例を示す正面図および平面図
【図５】同操作機器の配設方法の概略を示す斜視図
【図６】同操作機器の詳細な構成を示す斜視図
【図７】同操作機器を接続する構造部材の構成を示す正面図、断面図および斜視図
【図８】同構造部材の詳細な構成を示す正面図および断面図
【符号の説明】
【００３３】
１    ＡＶコンテンツ配信システム
１００    客室
１０１    通路
１０２    座席端末装置
１０２ａ    表示部
１０２ｂ    操作機器
１０２ｃ    コード取付ユニット（接続部材）
１０２ｄ    操作ボタン
１０３ａ，１０３ｂ    仕切り部（ギャレイ）
１０４    ヘッドホン
１０５，１０５ａ，１０５ｂ    保持仕切り壁
３０１    利用者
３０２，１Ｍ，２Ｍ，３Ｍ，４Ｍ，５Ｍ，６Ｍ，ＮＭ，１Ｎ，２Ｎ，３Ｎ，ＭＮ    座席
３０２ａ    腰掛部
３０２ｂ，３０２ｃ    肘掛部
３０２ｄ    背もたれ部
３０２ｅ    操作機器収納部
６２１    コードリール
６２２    コードアダプタ
６２５，６２６    ネジ孔部
６２８，６２９    突起部
Ｃ１    ネットワーク
【図１】
2010210029.tif 000003
【図２】
2010210029.tif 000004
【図３】
2010210029.tif 000005
【図４】
2010210029.tif 000006
【図５】
2010210029.tif 000007
【図６】
2010210029.tif 000008
【図７】
2010210029.tif 000009
【図８】
2010210029.tif 000010